(57)【特許請求の範囲】
【請求項１】
ＰＵＳＣＨでトランスポートブロックとＨＡＲＱ−ＡＣＫを送信する送信部と、
前記ＨＡＲＱ−ＡＣＫの符号化ビット数を、前記トランスポートブロックのＰＵＳＣＨ初期送信のためのＳＣ−ＦＤＭＡシンボル数NPUSCH-initialsymbに少なくとも基づき算出する物理層処理部と、を備え、
前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、
ＳＣ−ＦＤＭＡシンボルｌの時間連続信号がＳＣ−ＦＤＭＡシンボルｌ＋１に対応するリソースエレメントのコンテンツに基づいて生成される場合、前記NLBTは１である
端末装置。
【請求項２】
前記ＳＣ−ＦＤＭＡシンボルｌの時間連続信号が前記ＳＣ−ＦＤＭＡシンボルｌ＋１に対応するリソースエレメントのコンテンツに基づいて生成されない場合、前記NLBTの値は０である
請求項１に記載の端末装置。
【請求項３】
ＰＵＳＣＨで送信されるトランスポートブロックとＨＡＲＱ−ＡＣＫを受信する受信部と、
前記ＨＡＲＱ−ＡＣＫの符号化ビット数を、前記トランスポートブロックのＰＵＳＣＨ初期送信のためのＳＣ−ＦＤＭＡシンボル数NPUSCH-initialsymbに少なくとも基づき算出する物理層処理部と、を備え、
前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、
ＳＣ−ＦＤＭＡシンボルｌの時間連続信号がＳＣ−ＦＤＭＡシンボルｌ＋１に対応するリソースエレメントのコンテンツに基づいて生成される場合、前記NLBTの値は１である
基地局装置。
【請求項４】
前記ＳＣ−ＦＤＭＡシンボルｌの時間連続信号が前記ＳＣ−ＦＤＭＡシンボルｌ＋１に対応するリソースエレメントのコンテンツに基づいて生成されない場合、前記NLBTの値は０である
請求項３に記載の基地局装置。
【請求項５】
端末装置に用いられる通信方法であって、
ＰＵＳＣＨでトランスポートブロックとＨＡＲＱ−ＡＣＫを送信するステップと、
前記ＨＡＲＱ−ＡＣＫの符号化ビット数を、前記トランスポートブロックのＰＵＳＣＨ初期送信のためのＳＣ−ＦＤＭＡシンボル数NPUSCH-initialsymbに少なくとも基づき算出するステップと、を備え、
前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、
ＳＣ−ＦＤＭＡシンボルｌの時間連続信号がＳＣ−ＦＤＭＡシンボルｌ＋１に対応するリソースエレメントのコンテンツに基づいて生成される場合、前記NLBTの値は１である
通信方法。
【請求項６】
基地局装置に用いられる通信方法であって、
ＰＵＳＣＨで送信されるトランスポートブロックとＨＡＲＱ−ＡＣＫを受信するステップと、
前記ＨＡＲＱ−ＡＣＫの符号化ビット数を、前記トランスポートブロックのＰＵＳＣＨ初期送信のためのＳＣ−ＦＤＭＡシンボル数NPUSCH-initialsymbに少なくとも基づき算出するステップと、を備え、
前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、
ＳＣ−ＦＤＭＡシンボルｌの時間連続信号がＳＣ−ＦＤＭＡシンボルｌ＋１に対応するリソースエレメントのコンテンツに基づいて生成される場合、前記NLBTの値は１である
通信方法。
【発明の詳細な説明】
【技術分野】
【０００１】
本発明は、端末装置、基地局装置および通信方法に関する。
本願は、２０１６年８月９日に日本に出願された特願２０１６−１５６２４２号について優先権を主張し、その内容をここに援用する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンライセンスバンド（unlicensed band）における上りリンクキャリアを用いたキャリアアグリゲーションが検討されている（非特許文献４）。非特許文献５において、基地局装置によるトリガーに基づいて、アンライセンスバンド（unlicensed band）における上りリンクキャリアに対するＨＡＲＱ−ＡＣＫフィードバックを、ＰＵＳＣＨで送信することが開示されている。非特許文献６において、ＬＢＴにより、ＰＵＳＣＨの一部（例えば、ＰＵＳＣＨの先頭のシンボル）が送信されないことが開示されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"New Work Item on enhanced LAA for LTE", RP-152272, Ericsson, Huawei, 3GPP TSG RAN Meeting#70, Sitges, Spain, 7th - 10th December 2015.
【非特許文献５】"UCI transmission on LAA carrier", R1-164994, Sharp, 3GPP TSG RAN1 Meeting#85, Nanjing, China, 23rd - 27th May 2016.
【非特許文献６】"Discussion on PUSCH transmission starting within symbol #0", R1-164828, Huawei, HiSilicon, 3GPP TSG RAN WG1 Meeting#85, Nanjing, China, 23rd - 27th May 2016.
【発明の概要】
【発明が解決しようとする課題】
【０００５】
本発明の一態様は、効率的に上りリンク送信を行うことができる端末装置、該端末装置
に用いられる通信方法、および、効率的に上りリンク送信の受信を行うことができる基地局装置、該基地局装置に用いられる通信方法を提供する。
【課題を解決するための手段】
【０００６】
（１）本発明の態様は、以下のような手段を講じた。すなわち、本発明の第１の態様は、端末装置であって、ＰＵＳＣＨでトランスポートブロックとＨＡＲＱ−ＡＣＫを送信する送信部と、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出する物理層処理部と、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。【０００７】
（２）本発明の第２の態様は、基地局装置であって、ＰＵＳＣＨで送信されるトランスポートブロックとＨＡＲＱ−ＡＣＫを受信する受信部と、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出する物理層処理部と、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。【０００８】
（３）本発明の第３の態様は、端末装置に用いられる通信方法であって、ＰＵＳＣＨでトランスポートブロックとＨＡＲＱ−ＡＣＫを送信するステップと、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出するステップと、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。【０００９】
（４）本発明の第４の態様は、基地局装置に用いられる通信方法であって、ＰＵＳＣＨで送信されるトランスポートブロックとＨＡＲＱ−ＡＣＫを受信するステップと、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出するステップと、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。
【発明の効果】
【００１０】
この発明の一態様によれば、端末装置は効率的に上りリンク送信を行うことができる。また、基地局装置は効率的に上りリンク送信の受信を行うことができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態のベースバンド部１３の処理（送信プロセス３０００）の一例を示すブロック図である。
【図６】本実施形態の基地局装置３の構成を示す概略ブロック図である。
【図７】本実施形態における上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理の一例を示す図である。
【図８】本実施形態における符号化ビットの多重・インタリーブの例を示す図である。
【図９】本実施形態におけるＰＵＳＣＨ初期送信、および、イニシャルＰＤＣＣＨの第１の例を示す図である。
【図１０】本実施形態におけるＰＵＳＣＨ初期送信、および、イニシャルＰＤＣＣＨの第２の例を示す図である。
【図１１】本実施形態におけるＰＵＳＣＨ初期送信、および、イニシャルＰＤＣＣＨの第３の例を示す図である。
【図１２】ＬＢＴ期間が、ＳＣ−ＦＤＭＡシンボル＃０に基づき生成される時間連続信号が送信される期間に含まれている一例を示した図である。
【発明を実施するための形態】
【００１２】
以下、本発明の実施形態について説明する。本発明の実施形態において、ＳＣ−ＦＤＭＡシンボルが送信される、とは、ＳＣ−ＦＤＭＡシンボルの時間連続信号が送信されることを意味してもよい。また、ＳＣ−ＦＤＭＡシンボルが送信される、とは、ＳＣ−ＦＤＭＡシンボルに対応するリソースエレメントのコンテンツに基づき生成される時間連続信号が送信されることを意味してもよい。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
以下、キャリアアグリゲーションについて説明する。
【００１５】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明の一態様が適用されてもよい。また、設定された複数のサービングセルの一部において、本発明の一態様が適用されてもよい。また、設定された複数のサービングセルのグループのそれぞれにおいて、本発明の一態様が適用されてもよい。また、設定された複数のサービングセルのグループの一部において、本発明の一態様が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１６】
プライマリセルは、初期コネクション確立（initial connection establishment）手順が行なわれたサービングセル、コネクション再確立（connection re-establishment）手順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、アンライセンスバンド（unlicensed band）に含まれてもよい。セカンダリセルは、ライセンスバンド、および、アンライセンスバンドの何れに含まれてもよい。ＬＡＡセルを、ＬＡＡセカンダリセルと称してもよい。
【００１７】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１８】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１９】
本実施形態の物理チャネルおよび物理信号について説明する。
【００２０】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＳＣＨ（Physical Uplink Shared Channel）
・ＰＲＡＣＨ（Physical Random Access Channel）
【００２１】
ＰＵＳＣＨは、上りリンクデータ（Transport block, Uplink-Shared Channel: UL-SCH）、下りリンクのＣＳＩ（Channel State Information）、および／または、ＨＡＲＱ−ＡＣＫ（Hybrid Automatic Repeat reQuest）を送信するために用いられる。ＣＳＩ、および、ＨＡＲＱ−ＡＣＫは、上りリンク制御情報（Uplink Control Information: UCI）である。
【００２２】
ＣＳＩは、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤの数を示す。ＰＭＩは、端末装置１によって決定されるコードブックを示す。該コードブックは、ＰＤＳＣＨのプリコーディングに関連する。
【００２３】
ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対応する。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２４】
ＰＲＡＣＨは、ランダムアクセスプリアンブルを送信するために用いられる。
【００２５】
図１において、上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
【００２６】
ＤＭＲＳは、ＰＵＳＣＨの送信に関連する。ＤＭＲＳは、ＰＵＳＣＨと時間多重される。基地局装置３は、ＰＵＳＣＨの伝搬路補正を行なうためにＤＭＲＳを使用してもよい。
【００２７】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
【００２８】
ＰＤＣＣＨは、下りリンク制御情報（Downlink Control Information: DCI）を送信するために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の連続するサブフレームにおける複数のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられてもよい。
【００２９】
本発明の一態様において、ＰＵＳＣＨ（または、サブフレーム）のスケジューリングに用いられるＤＣＩは、該ＰＵＳＣＨに含まれる一部のＳＣ−ＦＤＭＡシンボルの時間連続信号が送信されないことを指示する情報を含んでもよい。例えば、ＰＵＳＣＨに含まれる一部のＳＣ−ＦＤＭＡシンボルの時間連続信号が送信されないことを指示する情報は、送信が開始されるＳＣ−ＦＤＭＡシンボル（Starting symbol）を指示する情報であってもよい。例えば、ＰＵＳＣＨに含まれる一部のＳＣ−ＦＤＭＡシンボルの時間連続信号が送信されないことを指示する情報は、送信終了シンボル（Ending symbol）を指示する情報であってもよい。
【００３０】
例えば、ＰＵＳＣＨに含まれる一部のＳＣ−ＦＤＭＡシンボルの時間連続信号が送信されないことを指示する情報は、該ＰＵＳＣＨに含まれる一部のＳＣ−ＦＤＭＡシンボルの時間連続信号の一部において、ダミー信号が送信されることを指示する情報であってもよい。例えば、該ダミー信号は、該ＰＵＳＣＨに含まれる一部のＳＣ−ＦＤＭＡシンボルの次のＳＣ−ＦＤＭＡシンボルの拡張されたＣＰ（Cyclic Prefix）、または、該ＰＵＳＣＨに含まれる一部のＳＣ−ＦＤＭＡシンボルの次のＳＣ−ＦＤＭＡシンボルに対応するリソースエレメントのコンテンツに基づいて生成される時間連続信号であってもよい。
【００３１】
本発明の一態様において、１つのＰＵＳＣＨ（１つのサブフレーム）のスケジューリングに用いられるＤＣＩは、ＤＣＩ  ｆｏｒｍａｔ  ０Ａ、または、ＤＣＩ  ｆｏｒｍａｔ
４Ａとも呼称される。
【００３２】
本発明の一態様において、複数のＰＵＳＣＨ（複数のサブフレーム）のスケジューリングに用いられるＤＣＩは、ＤＣＩ  ｆｏｒｍａｔ  ０Ｂ、または、ＤＣＩ  ｆｏｒｍａｔ  ４Ｂとも呼称される。ＤＣＩ  ｆｏｒｍａｔ  ０Ｂ、および、ＤＣＩ  ｆｏｒｍａｔ  ４Ｂは、まとめてＤＣＩタイプＢとも呼称される。
【００３３】
ＤＣＩタイプＢは、連続する複数のＰＵＳＣＨのスケジューリングに用いられてもよい。ＤＣＩタイプＢが複数のＰＵＳＣＨをスケジューリングする場合、該ＤＣＩに含まれる、ＰＵＳＣＨに含まれる一部のＳＣ−ＦＤＭＡシンボルが送信されないことを指示する情報は、複数の該ＰＵＳＣＨの一部のみに適用されてもよい。
【００３４】
ＵＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００３５】
以下、本実施形態の無線フレーム（radio frame）の構成について説明する。
【００３６】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３７】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３８】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３９】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。上りリンクにおけるノーマルＣＰ（normal Cyclic Prefix）に対して、NULsymbは７である。上りリンクにおける拡張ＣＰ（extended CP）に対して、NULsymbは６である。
【００４０】
端末装置１は、上りリンクにおけるＣＰ長を示すパラメータUL-CyclicPrefixLengthを基地局装置３から受信する。基地局装置３は、セルに対応する該パラメータUL-CyclicPrefixLengthを含むシステムインフォメーションを、該セルにおいて報知してもよい。
【００４１】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。サブキャリア間隔Δfは１５ｋＨｚであり、NRBscは１２であってもよい。すなわち、NRBscは、１８０ｋＨｚであってもよい。
【００４２】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB-1）が付けられる。
【００４３】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて基本的に同じであるため、下りリンクのスロットの構成の説明は省略する。
【００４４】
以下、本実施形態における装置の構成について説明する。
【００４５】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【００４６】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４７】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４８】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。無線リソース制御層処理部３６は、ＰＵＳＣＨに配置される上りリンクデータ（トランスポートブロック）、ＲＲＣメッセージ、ＭＡＣ  ＣＥ（Control Element）などを生成し、無線送受信部３０に出力する。
【００４９】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００５０】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【００５１】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００５２】
ベースバンド部１３は、データを逆高速フーリエ変換（Inverse Fast Fourier Transform: IFFT）して、ＣＰを含むＳＣ−ＦＤＭＡシンボルの時間信号を生成し、ベースバンドのディジタル信号を生成し、ベースバンドのディジタル信号をアナログ信号に変換する。ベースバンド部１３は、変換したアナログ信号をＲＦ部１２に出力する。
【００５３】
図５は、ベースバンド部１３の処理（送信プロセス３０００）の一例を示すブロック図である。送信プロセス（Transmission process）３０００は、符号化処理部（coding）３００１、スクランブル処理部（Scrambling）３００２、変調マップ処理部（Modulation mapper）３００３、レイヤマップ処理部（Layer mapper）３００４、変換プレコード処理部（Transform precoder）３００５、プレコード処理部（Precoder）３００６、リソースエレメントマップ処理部（Resource element mapper）３００７、ベースバンド信号生成処理部（OFDM baseband signal generation）３００８、の少なくとも１つを含んだ構成である。
【００５４】
符号化処理部３００１は、誤り訂正符号化処理（ターボ符号化処理、ＴＢＣＣ符号化処理（Tail Biting Convolutional Code）、または、繰り返し符号等）により、トランスポートブロック、または、上りリンク制御情報を符号化し、符号化ビットを生成する機能を備える。生成される符号化ビットは、スクランブル処理部３００２に入力される。
【００５５】
スクランブル処理部３００２は、スクランブル処理により符号化ビットをスクランブルビットに変換する機能を備える。スクランブルビットは、変調マップ処理部３００３に入力される。
【００５６】
変調マップ処理部３００３は、変調マップ処理によりスクランブルビットを変調ビットに変換する機能を備える。変調ビットは、スクランブルビットに対して、ＱＰＳＫ（Quaderature Phase Shift Keying）、１６ＱＡＭ（Quaderature Amplitude Modulation）、６４ＱＡＭ、２５６ＱＡＭ等の変調処理が施されることにより得られる。ここで、変調ビットは、変調シンボルとも呼称される。変調ビットは、レイヤマップ処理部３００４に入力される。
【００５７】
レイヤマップ処理部３００４は、変調シンボルを各レイヤにマッピングする（レイヤマッピングする）機能を備える。レイヤ（layer）とは、空間領域における物理層信号の多重度に関する指標である。つまり、例えば、レイヤ数が１の場合、空間多重が行われないことを意味している。また、レイヤ数が２の場合、２種類の物理層信号が空間多重されることを意味している。レイヤマッピングされた変調シンボル（以下では、レイヤマッピングされた変調シンボルは、変調シンボルとも呼称される）は、変換プレコード処理部３００５に入力される。
【００５８】
変換プレコード処理部３００５は、変調シンボル、および／または、ＮＵＬＬ信号に基づき複素シンボルを生成する機能を備える。変換プレコード処理部３００５における、変調シンボル、および／または、ＮＵＬＬ信号に基づき複素シンボルを生成する機能は、以下の数式（１）により与えられる。
【００５９】
【数１】
0006800981.tif 000002
【００６０】
数式（１）において、λはレイヤのインデックスであり、MPUSCHscは、スケジューリングされたＰＵＳＣＨの帯域幅におけるサブキャリア数であり、ｘ（λ）は、レイヤインデックスλにおける変調シンボルであり、ｉは変調シンボルのインデックスであり、ｊは虚数単位であり、MlayerPUSCHは、レイヤ当たりの変調シンボルの数であり、πは円周率である。
【００６１】
ｘ（λ）の一部は、ＮＵＬＬであってもよい。ここで、ｘ（λ）の一部がＮＵＬＬであるとは、ｘ（λ）の一部にゼロ（複素数値または実数値）が挿入されることであってもよい。例えば、レイヤマップ処理部３００４、または、変調マップ処理部３００３により生成される変調シンボルがｘ（λ）０である場合、ｘ（λ）＝［Ｏｍ、ｘ（λ）０］であってもよい。ここで、Ｏｍは、１または複数個のゼロにより構成される系列であってもよい。ここで、［Ａ、Ｂ］は、系列Ａおよび系列Ｂが結合された系列を出力する操作である。複素シンボルは、プレコード処理部３００６に入力される。
【００６２】
プレコード処理部３００６は、複素シンボルに対してプレコーダを乗算することにより送信アンテナごとの送信シンボルを生成する。送信シンボルは、リソースエレメントマップ処理部３００７に入力される。
【００６３】
リソースエレメントマップ処理部３００７は、送信アンテナポートごとの送信シンボルを、それぞれ、リソースエレメントにマップする。
【００６４】
ベースバンド信号生成処理部３００８は、リソースエレメントにマップされた変調シンボルをベースバンド信号（時間連続信号）に変換する機能を備える。ベースバンド信号生成処理部３００８は、ＳＣ−ＦＤＭＡシンボルに対応するリソースエレメントのコンテンツ（例えば、変調シンボル）に基づき、時間連続信号を数式（２）により生成する。
【００６５】
【数２】
0006800981.tif 000003
【００６６】
ここで、s(p)lは、アンテナポートｐにおける、ＳＣ−ＦＤＭＡシンボルｌｓｅｃｏｎｄに対応するコンテンツに基づき生成される、ＳＣ−ＦＤＭＡシンボルｌの時間ｔにおける時間連続信号である。また、NULRBは、上りリンク帯域のリソースブロック数であり、NRBscは、リソースブロックのサブキャリア数であり、ceil()は、天井関数であり、floor()は床関数であり、a(p)k(-),lは、アンテナポートｐにおける、リソースエレメント（ｋ、ｌ）のコンテンツであり、lsecondはＳＣ−ＦＤＭＡシンボルのインデックスである。また、Δｆ＝１５ｋＨｚである。また、NCP,lは、ＳＣ−ＦＤＭＡシンボルｌのＣＰ長である。また、Ts=1/(15000*2048)である。また、時間tは、Tl,0と(NCP,l+N)*Tsの間の範囲の値を備える。ここで、Tl,0は、ＳＣ−ＦＤＭＡシンボルの送信が開始される時刻である。例えば、Tl,0=0であってもよい。また、NXCP,lは、ＳＣ−ＦＤＭＡシンボルの時間連続信号生成のパラメータであり、例えば、NXCP,l=NCP,lであってもよい。
【００６７】
NCP,lは、ノーマルＣＰにおいてｌ＝０の場合に１６０であってもよい。NCP,lは、ノーマルＣＰにおいてｌ＝１〜６の場合に１４４であってもよい。NCP,lは、拡張ＣＰにおいてｌ＝０〜５の場合に５１２であってもよい。
【００６８】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００６９】
図６は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００７０】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７１】
上位層処理部３４が備える媒体アクセス制御層処理部３５は、媒体アクセス制御層の処理を行う。上位層処理部３４が備える無線リソース制御層処理部３６は、無線リソース制御層の処理を行う。無線リソース制御層処理部３６は、ＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００７２】
無線送受信部３０の機能は、無線送受信部１０と同様であるため説明を省略する。
【００７３】
端末装置１が備える符号１０から符号１６が付された部のそれぞれは、回路として構成されてもよい。基地局装置３が備える符号３０から符号３６が付された部のそれぞれは、回路として構成されてもよい。
【００７４】
本実施形態において、複数のＬＡＡセルのグループをＵＣＩセルグループと称する。ＵＣＩセルグループに含まれる複数のＬＡＡセルに対するＨＡＲＱ−ＡＣＫは、ＵＣＩセルグループ内の１つ、または、複数のＬＡＡセルにおけるＰＵＳＣＨで送信されてもよい。
【００７５】
プライマリセルは、常にＵＣＩセルグループに含まれない。基地局装置３は、ＬＡＡセルがＵＣＩセルグループに含まれるかどうかを決定してもよい。基地局装置３は、ＬＡＡセルがＵＣＩグループに含まれるかどうかを示す情報／上位層パラメータを、端末装置１に送信してもよい。
【００７６】
ＵＣＩセルグループに含まれるＬＡＡセルに対する上りリンクグラントには、ＣＳＩリクエスト、および、ＨＡＲＱ−ＡＣＫリクエストが含まれてもよい。ＣＳＩリクエストのビットにマップされるフィールドを、ＣＳＩリクエストフィールドとも称する。ＨＡＲＱ−ＡＣＫリクエストのビットにマップされるフィールドを、ＨＡＲＱ−ＡＣＫリクエストフィールドとも称する。
【００７７】
ＵＣＩセルグループに含まれるＬＡＡセルに対する上りリンクグラントに含まれるＨＡＲＱ−ＡＣＫリクエストフィールドがＨＡＲＱ−ＡＣＫ送信をトリガーするようにセットされている場合、端末装置１は、当該ＬＡＡセルにおけるＰＵＳＣＨを用いてＨＡＲＱ−ＡＣＫを送信する。例えば、１ビットのＨＡＲＱ−ＡＣＫリクエストフィールドが‘０’にセットされている場合、ＨＡＲＱ−ＡＣＫの送信がトリガーされなくてもよい。例えば、１ビットのＨＡＲＱ−ＡＣＫリクエストフィールドが‘１’にセットされている場合、ＨＡＲＱ−ＡＣＫの送信がトリガーされてもよい。
【００７８】
ＵＣＩセルグループに含まれるＬＡＡセルに対する上りリンクグラントに含まれるＣＳＩリクエストフィールドがＣＳＩ報告をトリガーするようにセットされている場合、端末装置１は、当該ＬＡＡセルにおけるＰＵＳＣＨを用いＣＳＩ報告を行う。例えば、２ビットのＣＳＩリクエストフィールドが‘００’にセットされている場合、ＣＳＩ報告がトリガーされなくてもよい。例えば、２ビットのＣＳＩリクエストフィールドが‘００’以外の値にセットされている場合、ＣＳＩ報告がトリガーされてもよい。
【００７９】
以下、ＰＵＳＣＨを用いて送信される、上りリンクデータ（ａｘ）、ＣＱＩ／ＰＭＩ（ｏｘ）、ＲＩ（ｂｘ）、および、ＨＡＲＱ−ＡＣＫ（ｃｘ）の符号化処理について説明する。
【００８０】
図７は、本実施形態における上りリンクデータ（ａｘ）、ＣＱＩ／ＰＭＩ（ｏｘ）、ＲＩ（ｂｘ）、および、ＨＡＲＱ−ＡＣＫ（ｃｘ）の符号化処理の一例を示す図である。図７の６００から６０３において、ＰＵＳＣＨを用いて送信される、上りリンクデータ、ＣＱＩ／ＰＭＩ、ＲＩ、および、ＨＡＲＱ−ＡＣＫは個別に符号化される。図７の６０４において、上りリンクデータの符号化ビット（ｆｘ）、ＣＱＩ／ＰＭＩの符号化ビット（ｑｘ）、ＲＩの符号化ビット（ｇｘ）、および、ＨＡＲＱ−ＡＣＫの符号化ビット（ｈｘ）は、多重、および、インタリーブされる。図７の６０５において、６０４において多重、および、インタリーブされた符号化ビットから、ベースバンド信号（ＰＵＳＣＨの信号）を生成する。
【００８１】
符号化ビットの多重・インタリーブには、行列（matrix）が用いられてもよい。行列の列はＳＣ−ＦＤＭＡシンボルに対応している。行列の１つのエレメントは、１つの符号化変調シンボルに対応している。符号化変調シンボルはＸ個の符号化ビットのグループである。Ｘは、ＰＵＳＣＨ（上りリンクデータ）に対する変調次数（modulation order Qm）である。１つの符号化変調シンボルから、１つの複素数値シンボルが生成される。１つの列にマップされる複数の符号化変調シンボルから生成される複数の複素数値シンボルは、ＤＦＴプリコーディングの後に、ＰＵＳＣＨのために割り当てられてサブキャリアにマップされる。
【００８２】
図８は、本実施形態における符号化ビットの多重・インタリーブの例を示す図である。ＰＵＳＣＨを用いて、ＨＡＲＱ−ＡＣＫ、および、ＲＩが送信される場合、ＨＡＲＱ−ＡＣＫの符号化変調シンボルはインデックス｛２、３、８、９｝の列にマップされ、尚且つ、ＲＩの符号化変調シンボルはインデックス｛１、４、７、１０｝の列にマップされる。
【００８３】
インデックス｛２、３、８、９｝の列は、ＰＵＳＣＨ送信に関連するＤＭＲＳが送信されるＳＣ−ＦＤＭＡシンボルの隣のＳＣ−ＦＤＭＡシンボルに対応する。インデックス２の列に対応するＳＣ−ＦＤＭＡシンボル、および、インデックス３の列に対応するＳＣ−ＦＤＭＡシンボルの間のＳＣ−ＦＤＭＡシンボルにおいてＤＭＲＳが送信される。インデックス８の列に対応するＳＣ−ＦＤＭＡシンボル、および、インデックス９の列に対応するＳＣ−ＦＤＭＡシンボルの間のＳＣ−ＦＤＭＡシンボルにおいてＤＭＲＳが送信される。インデックス｛１、４、７、１０｝の列は、ＰＵＳＣＨ送信に関連するＤＭＲＳが送信されるＳＣ−ＦＤＭＡシンボルの２つ隣のＳＣ−ＦＤＭＡシンボルに対応する。
【００８４】
以下、ＲＩの符号化ビットの数（Ｇ）、および、ＨＡＲＱ−ＡＣＫの符号化ビットの数（Ｈ）の算出方法について説明する。ＲＩの符号化ビットの数（Ｇ）、および、ＨＡＲＱ−ＡＣＫの符号化ビットの数（Ｈ）は、以下の数式（３）、および、数式（４）によって与えられてもよい。尚、本実施形態はＣＱＩ／ＰＭＩに対して適用されてもよい。
【００８５】
【数３】
0006800981.tif 000004
【００８６】
【数４】
0006800981.tif 000005
【００８７】
ｍｉｎ（）は、入力された複数の値のうち最小の値を返す関数である。ｃｅｉｌ（）は、入力された値より大きい、最も小さい整数を返す関数である。ＯはＲＩのビット数、または、ＨＡＲＱ−ＡＣＫのビット数である。ＬはＲＩまたはＨＡＲＱ−ＡＣＫに付加されるＣＲＣパリティビットの数である。Ｃはコードブロックの数である。Ｋｒはコードブロックｒのサイズである。１つのトランスポートブロックを分割することによって、複数のコードブロックが与えられる。
【００８８】
MPUSCH-initialscは、ＰＵＳＣＨ初期送信のためにスケジュールされた帯域幅であり、且つ、同じトランスポートブロックのためのイニシャルＰＤＣＣＨから得られる。MPUSCH-initialscは、サブキャリアの数によって表現されてもよい。NPUSCH-initialsymbolは、同じトランスポートブロックのためのＰＵＳＣＨ初期送信のためのＳＣ−ＦＤＭＡシンボルの数である。ここで、当該同じトランスポートブロックは、ＵＣＩとともにＰＵＳＣＨで送信されるトランスポートブロックである。
【００８９】
βRIoffsetは、以下の要素（１）から（５）の一部、または、全部に少なくとも基づいて与えられてもよい。
要素（１）：ＰＵＳＣＨが送信されるサービングセルがＵＣＩセルグループに属するかどうか
要素（２）：ＰＵＳＣＨを用いてＨＡＲＱ−ＡＣＫ送信が行われるかどうか
要素（３）：ＨＡＲＱ−ＡＣＫリクエストフィールドの値
要素（４）：ＰＵＳＣＨのためのＳＣ−ＦＤＭＡシンボルの数
要素（５）：ＲＩの符号化変調シンボルがマップされる列（ＲＩが送信されるＳＣ−ＦＤＭＡシンボル）
【００９０】
βRIoffsetは、基地局装置３から受信した情報／パラメータによって与えられてもよい。端末装置は、上記の要素（１）から（５）の一部、または、全部に少なくとも基づいて、基地局装置３から受信した情報／パラメータによって与えられる複数のβRIoffsetの中から１つを選択してもよい。
【００９１】
βHARQ-ACKoffsetは、要素（１）から（５）の一部、または、全部に少なくとも基づいて与えられてもよい。
【００９２】
βHARQ-ACKoffsetは、基地局装置３から受信した情報／パラメータによって与えられてもよい。βHARQ-ACKoffsetは、上記の要素（１）とは関係なく与えられてもよい。
【００９３】
ＣＱＩ／ＰＭＩビットの数の算出にあたって、βCQIoffsetは、要素（１）から（５）の一部、または、全部に少なくとも基づいて与えられてもよい。
【００９４】
βCQIoffsetは、基地局装置３から受信した情報／パラメータによって与えられてもよい。
【００９５】
以下、サービングセルｃにおけるサブフレームｉにおけるＰＵＳＣＨ送信のための送信電力PPUSCH,c(i)のセッティング方法について説明する。送信電力PPUSCH,c(i)は、以下の数式（５）によって与えられてもよい。
【００９６】
【数５】
0006800981.tif 000006
【００９７】
PCMAX,c(i)は、サービングセルｃにおけるサブフレームｉにおける端末装置１の設定される最大送信電力である。MPUSCH,c(i)は、サービングセルｃにおけるサブフレームｉにおけるＰＵＳＣＨリソース割り当ての帯域幅である。当該ＰＵＳＣＨリソース割り当て帯域幅は、リソースブロックの数によって表現される。PO_PUSCH,c(j)は、上位層によって提供される２つのパラメータに基づいて与えられる。αcは、上位層によって与えられるパラメータによって与えられる。PLcは、端末装置１によって計算される、サービングセルｃのための下りリンクパスロス推定値である。fc(i)は、ＴＰＣコマンドから導き出される。ＴＰＣコマンドはサービングセルｃのためのＤＣＩフォーマットに含まれていてもよい。数式（５）におけるΔTF,cは、以下の数式（６）によって与えられてもよい。
【００９８】
【数６】
0006800981.tif 000007
【００９９】
Ksは、上位層によって提供されるパラメータによって与えられる。トランスポートブロックを含まないＰＵＳＣＨを介してＵＣＩが送信される場合、βPUSCHoffsetはβCQIoffsetによって与えられる。βCQIoffsetは、基地局装置３から受信した情報／パラメータによって与えられてもよい。βCQIoffsetは、上記の要素（１）とは関係なく与えられてもよい。ＰＵＳＣＨを介して少なくともトランスポートブロックが送信される場合、βPUSCHoffsetは１である。数式（６）におけるＢＰＲＥは、以下の数式（７）によって与えられる。
【０１００】
【数７】
0006800981.tif 000008
【０１０１】
OCQIは、ＣＲＣパリティビットを含むＣＱＩ／ＰＭＩのビット数である。NREは、リソースエレメントの数である。NREは、MPUSCH-initialsc、および、NPUSCH-initialsymbolの積である。すなわち、ＰＵＳＣＨ送信のための送信電力PPUSCH,c(i)は、MPUSCH-initialsc、および、NPUSCH-initialsymbolに基づいて与えられる。
【０１０２】
図９は、本実施形態におけるＰＵＳＣＨ初期送信、および、イニシャルＰＤＣＣＨの第１の例を示す図である。端末装置１は、初期送信を指示する上りリンクグラントを含むＰＤＣＣＨ８００を受信する。ＰＤＣＣＨ８００は、イニシャルＰＤＣＣＨ８００とも呼称される。端末装置１は、ＰＤＣＣＨ８００の検出に基づいてトランスポートブロックｘを含むＰＵＳＣＨ８０２を送信する。ＰＵＳＣＨ８０２は、初期送信ＰＵＳＣＨとも呼称される。端末装置１は、再送信を指示する上りリンクグラントを含むＰＤＣＣＨ８０４を受信する。ここで、ＰＤＣＣＨ８０４の上りリンクグラントに含まれるＣＳＩリクエストフィールドがＣＳＩ報告をトリガーするようにセットされていてもよい。ＰＤＣＣＨ８０４の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ８０４の検出に基づいて、ＵＣＩ（ＣＱＩ／ＰＭＩ、ＲＩ、および／または、ＨＡＲＱ−ＡＣＫ）および同じトランスポートブロックｘを含むＰＵＳＣＨ８０６を送信する。ＰＵＳＣＨ８０６は、再送信ＰＵＳＣＨ８０６とも呼称される。ＰＵＳＣＨ８０６は、初期送信ＰＵＳＣＨ８０２の再送信に対応する。ここで、ＰＤＣＣＨ８００、８０４、および、ＰＵＳＣＨ８０２、８０６は、同じＨＡＲＱプロセスに対応している。
【０１０３】
図９において、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ８０６のための送信電力PPUSCH,c(i)は、ＰＵＳＣＨ８０２のためにスケジュールされた帯域幅であり、且つ、ＰＤＣＣＨ８００から得られるMPUSCH-initialsc、および、同じトランスポートブロックｘのためのＰＵＳＣＨ８０２のためのＳＣ−ＦＤＭＡシンボルの数NPUSCH-initialsymbolに少なくとも基づいて与えられる。
【０１０４】
図１０は、本実施形態におけるＰＵＳＣＨ初期送信、および、イニシャルＰＤＣＣＨの第２の例を示す図である。基地局装置３は、初期送信を指示する上りリンクグラントを含むＰＤＣＣＨ９００を送信する。しかし、端末装置１はＰＤＣＣＨ９００の検出に失敗することによって、ＰＤＣＣＨ９００に対応するＰＵＳＣＨ９０２を送信しない。ＰＤＣＣＨ９００は、イニシャルＰＤＣＣＨ９００とも呼称される。端末装置１は、送信を指示する上りリンクグラントを含むＰＤＣＣＨ９０４を受信する。端末装置１は、ＰＤＣＣＨ９０４の検出に基づいて、トランスポートブロックｘを含むＰＵＳＣＨ９０６を送信する。ＰＵＳＣＨ９０６は、再送信ＰＵＳＣＨ９０６とも呼称される。ＰＵＳＣＨ９０６は、ＰＵＳＣＨ９０２の再送信に対応する。端末装置１は、送信を指示する上りリンクグラントを含むＰＤＣＣＨ９０８を受信する。ここで、ＰＤＣＣＨ９０８の上りリンクグラントに含まれるＣＳＩリクエストフィールドがＣＳＩ報告をトリガーするようにセットされていてもよい。ＰＤＣＣＨ９０８の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ９０８の検出に基づいて、ＵＣＩ（ＣＱＩ／ＰＭＩ、ＲＩ、および／または、ＨＡＲＱ−ＡＣＫ）およびトランスポートブロックｘを含むＰＵＳＣＨ９１０を送信する。ＰＵＳＣＨ９１０は、再送信ＰＵＳＣＨ９１０とも呼称される。ＰＵＳＣＨ９１０は、ＰＵＳＣＨ９０２、および／または、ＰＵＳＣＨ９０６の再送信に対応する。ここで、ＰＤＣＣＨ９００、９０４、９０８、および、ＰＵＳＣＨ９０２、９０６、９１０は、同じＨＡＲＱプロセスに対応している。
【０１０５】
図１０において、ＰＤＣＣＨ９００に基づくＰＵＳＣＨ９０２が送信されなかった場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ９１０のための送信電力PPUSCH,c(i)は、ＰＵＳＣＨ９０６のためにスケジュールされた帯域幅であり、且つ、イニシャルＰＤＣＣＨ９０４から得られるMPUSCH-initialsc、および、同じトランスポートブロックｘのためのＰＵＳＣＨ９０６のためのＳＣ−ＦＤＭＡシンボルの数NPUSCH-initialsymbolに少なくとも基づいて与えられる。
【０１０６】
図１０において、ＰＤＣＣＨ９００に基づくＰＵＳＣＨ９０２が行われた場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ９１０のための送信電力PPUSCH,c(i)は、ＰＵＳＣＨ９０２のためにスケジュールされた帯域幅であり、且つ、ＰＤＣＣＨ９００から得られるMPUSCH-initialsc、および、同じトランスポートブロックｘのためのＰＵＳＣＨ９０２のためのＳＣ−ＦＤＭＡシンボルの数NPUSCH-initialsymbolに少なくとも基づいて与えられてもよい。
【０１０７】
図１１は、本実施形態におけるＰＵＳＣＨ初期送信、および、イニシャルＰＤＣＣＨの第３の例を示す図である。端末装置１は、初期送信を指示する上りリンクグラントを含むＰＤＣＣＨ１０００を受信する。ＰＤＣＣＨ１０００は、イニシャルＰＤＣＣＨ１０００とも呼称される。しかし、端末装置１は、ＰＤＣＣＨ１０００に対応するＰＵＳＣＨ１００２を送信しない。ここで、ＰＵＳＣＨ１００２は、初期送信ＰＵＳＣＨ１００２とも呼称される。
【０１０８】
例えば、あるサブフレームにおいて、ＰＵＳＣＨ１００２を含む複数のＰＵＳＣＨが割り当てられ、複数のＰＵＳＣＨ送信の、推定される送信電力の合計が設定される最大送信電力を超える場合、端末装置１はＰＵＳＣＨ１００２のための送信電力を０にセットしてもよい、または、ＰＵＳＣＨ１００２をドロップしてもよい。例えば、ＰＵＳＣＨ１００２に対応するＬＢＴ（Listen Before Talk）の結果がビジー状態である場合、端末装置１は、ＰＵＳＣＨ１００２をドロップしてもよい。
【０１０９】
ＬＢＴの手順は、端末装置１がサービングセルにおける送信の前にＣＣＡ（Clear Channel Assessment）チェックを適用するメカニズムとして定義される。端末装置１は、サービングセルがアイドル状態かビジー状態かどうかを識別するために、当該サービングセルにおいて他の信号の有無を決定するための電力検出または信号検出を行う。ＣＣＡはキャリアセンスとも呼称される。端末装置１がサービングセル（コンポーネントキャリア、チャネル、媒体、周波数）を用いて物理チャネルおよび物理信号を送信する前に、当該サービングセルにおける干渉電力（干渉信号、受信電力、受信信号、雑音電力、雑音信号）などを測定（検出）する。端末装置１は、当該測定（検出）に基づいて、当該サービングセルがアイドル状態、および、ビジー状態の何れであるかを識別（検出、想定、決定）する。端末装置１が当該測定（検出）に基づいて当該サービングセルはアイドル状態であると識別した場合、無線送受信装置は当該サービングセルにおいて物理チャネルおよび物理信号を送信することができる。端末装置１に基づいて当該サービングセルはビジー状態であると識別した場合、無線送受信装置は当該サービングセルにおいて物理チャネルおよび物理信号を送信しない。
【０１１０】
ＬＢＴの手順において、サービングセルがビジー状態であるとは、該サービングセルの所定の無線リソースにおいて検出される干渉電力（または、干渉電力の平均値、干渉電力の時間、および／または、周波数における平均値）が、ＬＢＴのしきい値（または、、キャリアセンスのしきい値、ＣＣＡのしきい値、エネルギー検出のしきい値）を超える（または、以上である）ことであってもよい。また、サービングセルがアイドル状態であるとは、該サービングセルの所定の無線リソースにおいて検出される干渉電力が、ＬＢＴのしきい値を超えない（または、以下である）ことであってもよい。ここで、所定の無線リソースは、所定の時間および所定の周波数に基づいて与えられてもよい。例えば、所定の時間は、４マイクロ秒であってもよい。また、所定の時間は、２５マイクロ秒であってもよい。また、所定の時間は、３６マイクロ秒であってもよい。また、所定の時間は、４５マイクロ秒であってもよい。また、所定の時間は、受信電力の測定に用いられる最小の期間として規定されてもよい。また、所定の時間は、基地局装置３より送信される上位層の信号に含まれる情報、および／または、基地局装置３より送信されるＤＣＩに含まれる情報に基づき与えられてもよい。また、所定の時間は、カウンタ（または、バックオフカウンタ）に基づいて与えられてもよい。カウンタの最大値は、最大コンテンションウィンドウ（CWmax）により与えられる。また、カウンタの最小値は、最小コンテンションウィンドウ（CWmin）により与えられる。また、所定の周波数とは、サービングセルの帯域に基づき与えられてもよい。また、所定の周波数とは、サービングセルの帯域の一部として与えられてもよい。また、所定の周波数とは、基地局装置３より送信されるＤＣＩに含まれるスケジューリング情報に基づき与えられてもよい。
【０１１１】
以下、ＰＵＳＣＨに含まれるＳＣ−ＦＤＭＡシンボルの数の具体的な算出方法を説明する。ここで、ＰＵＳＣＨに含まれるＳＣ−ＦＤＭＡシンボルは、該ＰＵＳＣＨのリソースエレメントのコンテンツに基づき生成される時間連続信号の生成に用いられる該ＳＣ−ＦＤＭＡシンボルの数であってもよい。
【０１１２】
端末装置１より送信されるＰＵＳＣＨに含まれるＳＣ−ＦＤＭＡシンボルの数は、ＬＢＴの手順に基づいて与えられてもよい。例えば、端末装置１より送信されるＰＵＳＣＨに含まれるＳＣ−ＦＤＭＡシンボルの数は、ＬＢＴのための所定の期間（ＬＢＴのための所定の期間は、ＬＢＴ期間とも呼称される）の設定に基づき与えられてもよい。
【０１１３】
基地局装置３よりスケジューリングされたＰＵＳＣＨの送信において、該ＰＵＳＣＨのためのＬＢＴ期間は、該ＰＵＳＣＨの送信期間に含まれてもよい。ここで、ＬＢＴ期間がＰＵＳＣＨの送信期間に含まれるとは、該ＰＵＳＣＨに設定される期間（１ｍｓの期間）にＬＢＴ期間、または、ＬＢＴ期間の少なくとも一部が含まれていることである。該ＰＵＳＣＨの送信期間は、該ＰＵＳＣＨの送信が設定されるサブフレームであってもよい。
【０１１４】
基地局装置３よりスケジューリングされたＰＵＳＣＨの送信において、端末装置１より送信される該ＰＵＳＣＨに含まれるＳＣ−ＦＤＭＡシンボルの数は、該ＰＵＳＣＨのためのＬＢＴ期間の設定に基づき与えられてもよい。例えば、基地局装置３よりスケジューリングされたＰＵＳＣＨの送信において、端末装置１より送信される該ＰＵＳＣＨに含まれるＳＣ−ＦＤＭＡシンボルの数は、ＬＢＴ期間と該ＰＵＳＣＨの送信が同一のサブフレームに設定されない場合に数式（８）に基づき与えられる。
【０１１５】
【数８】
0006800981.tif 000009
【０１１６】
ここで、NULsymbは、１スロットに含まれるＳＣ−ＦＤＭＡシンボルの数である。また、NSRSは、ＰＵＳＣＨの送信が設定される１サブフレームに含まれるＳＲＳ（Sounding Reference Symbol）に用いられるＳＣ−ＦＤＭＡシンボルの数であってもよい。ここで、端末装置１は、周期的に、または、基地局装置３から受信した情報／パラメータによって、ＳＲＳの送信がトリガーされてもよい。ＳＲＳは、上りリンクにおける伝搬路の推定等に用いられる。NSRSは、周期的に、または、基地局装置３から受信した情報／パラメータによって、トリガーされるＳＲＳに用いられるシンボル数であってもよい。ＳＲＳの送信がトリガーされた場合、NSRS=1であり、ＳＲＳの送信がトリガーされない場合、NSRS=0であってもよい。NSRSは、基地局装置３から受信した情報／パラメータによって与えられてもよい。NSRSは、ＰＵＳＣＨ（または、サブフレーム）のスケジューリングに用いられるＤＣＩに含まれる送信終了シンボル（Ending symbol）を指示する情報によって与えられてもよい。
【０１１７】
例えば、基地局装置３よりスケジューリングされたＰＵＳＣＨの送信において、端末装置１より送信されるＰＵＳＣＨに含まれるＳＣ−ＦＤＭＡシンボルの数は、ＬＢＴ期間と該ＰＵＳＣＨの送信が同一のサブフレームに設定される場合に数式（９）に基づき与えられてもよい。
【０１１８】
【数９】
0006800981.tif 000010
【０１１９】
ここで、NLBTは、時間連続信号の生成に用いられないリソースエレメントのコンテンツに対応するＳＣ−ＦＤＭＡシンボルの数であってもよい。また、NLBTは、ＬＢＴ期間が設定されることにより、時間連続信号の生成に用いられないリソースエレメントのコンテンツに対応するＳＣ−ＦＤＭＡシンボルの数であってもよい。基地局装置３よりスケジューリングされたＰＵＳＣＨの送信において、ＬＢＴ期間と該ＰＵＳＣＨの送信が同一のサブフレームに設定される場合に、NLBT=1であってもよい。基地局装置３よりスケジューリングされたＰＵＳＣＨの送信において、ＬＢＴ期間と該ＰＵＳＣＨの送信が同一のサブフレームに設定され、時間連続信号の生成に用いられないリソースエレメントのコンテンツに対応するＳＣ−ＦＤＭＡシンボルの数が１である場合に、NLBT=1であってもよい。ＬＢＴ期間と該ＰＵＳＣＨの送信が同一のサブフレームに設定されない場合に、端末装置１より送信されるＰＵＳＣＨのＳＣ−ＦＤＭＡシンボルの数は数式（９）に基づき与えられてもよい。また、基地局装置３よりスケジューリングされたＰＵＳＣＨの送信において、ＬＢＴ期間と該ＰＵＳＣＨの送信が同一のサブフレームに設定されない場合にNLBT=0であってもよい。基地局装置３よりスケジューリングされたＰＵＳＣＨの送信において、ＬＢＴ期間と該ＰＵＳＣＨの送信が同一のサブフレームに設定されず、時間連続信号の生成に用いられないリソースエレメントのコンテンツに対応するＳＣ−ＦＤＭＡシンボルの数が０である場合に、NLBT=0であってもよい。基地局装置３よりスケジューリングされたＰＵＳＣＨの送信において、ＬＢＴ期間と該ＰＵＳＣＨの送信が同一のサブフレームに設定され、時間連続信号の生成に用いられないリソースエレメントのコンテンツに対応するＳＣ−ＦＤＭＡシンボルの数がＸである場合に、NLBT=Xであってもよい。ここで、Ｘは定数である。
【０１２０】
図１２は、ＬＢＴ期間が、ＳＣ−ＦＤＭＡシンボル＃０（格子パターン）に基づき生成される時間連続信号が送信される期間（数式（２）における時間ｔの範囲に基づき与えられる期間）に含まれている一例を示した図である。図１２に示されるように、ＬＢＴ期間は、ＳＣ−ＦＤＭＡシンボルに基づき生成される時間連続信号が送信される期間の長さと等しくなくてもよい。例えば、図１２に示される一例では、ＬＢＴ期間後の期間Ａを経て、ＳＣ−ＦＤＭＡシンボル＃１に基づき生成される時間連続信号が送信される。なお、ＬＢＴ期間と期間Ａの和がＳＣ−ＦＤＭＡシンボルに基づき生成される時間連続信が送信される期間の長さと等しくてもよい。ここで、期間Ａにおいて、端末装置１より信号の送信が行われない場合、該期間Ａの後のチャネルは該端末装置１ではない端末装置によって確保される可能性がある。このように、複数の端末装置によりチャネルが確保されることは、伝送特性劣化の要因となり得る（ＬＢＴ、または、ＣＣＡにより複数の端末装置がチャネルを確保し、送信が行われることは衝突とも呼称される）。ここで、期間Ａは、ＬＢＴのギャップ（LBT gap）、ＣＣＡのギャップ（CCA gap）等とも呼称される。
【０１２１】
そこで、図１２の期間Ａにおいて、端末装置１より信号（ＰＵＳＣＨ、または、ＰＵＳＣＨ以外の信号）の送信が行われることが好適である（チャネル予約（Channel reservation）等とも呼称される）。本発明の一態様に係る期間Ａの第１の動作において、端末装置１は、チャネル予約のための信号として、ダミー信号を送信してもよい。ダミー信号の生成方法は、仕様書の記載等に基づいて与えられてもよい。また、ダミー信号は参照信号に基づき生成されてもよい。端末装置１によりダミー信号が送信されることは、所定の電力を超える電力が該端末装置１の外に放射されていることであってもよい。ここで、図１２の期間Ａは、第１のＳＣ−ＦＤＭＡシンボルの時間連続信号の送信期間に対応していてもよい。
【０１２２】
一方で、端末装置１より送信されるダミー信号は、ＰＵＳＣＨに含まれるトランスポートブロックの送信符号化率（または、ＢＰＲＥ（Bit Per Resource Element））の算出に用いられない。つまり、ダミー信号は、ＣＱＩ／ＰＭＩの符号化ビットの数Ｑ、ＲＩの符号化ビットの数Ｇ、ＨＡＲＱ−ＡＣＫの符号化ビットの数Ｈ、および／または、ＰＵＳＣＨの送信電力の算出において考慮されないことが好適である。そこで、図１２の期間Ａにおいて、端末装置１よりダミー信号が送信されている場合、NLBT=1であってもよい。また、端末装置１よりＸ個のＳＣ−ＦＤＭＡシンボルにおいてダミー信号が送信されている場合、NLBT=Xであってもよい。
【０１２３】
つまり、ＬＢＴ期間が設定され、第１のＳＣ−ＦＤＭＡシンボルに基づき生成される時間連続信号が送信されず、ダミー信号が該ＬＢＴ期間の少なくとも一部において送信される場合、NLBT=1であってもよい。また、ＬＢＴ期間が設定されることにより第１のＳＣ−ＦＤＭＡシンボルに基づき生成される時間連続信号が送信されず、ダミー信号が該ＬＢＴ期間において送信されない場合、NLBT=0であってもよい。ここで、第１のＳＣ−ＦＤＭＡシンボルは１個、または、複数個のＳＣ−ＦＤＭＡシンボルであってもよい。つまり、第１のＳＣ−ＦＤＭＡシンボルがＸ個のＳＣ−ＦＤＭＡシンボルに対応し、ダミー信号が該ＬＢＴ期間の少なくとも一部において送信される場合、NLBT=Xであってもよい。また、第１のＳＣ−ＦＤＭＡシンボルがＸ個のＳＣ−ＦＤＭＡシンボルに対応し、ダミー信号が該ＬＢＴ期間において送信されない場合、NLBT=0であってもよい。
【０１２４】
本発明の一態様に係る図１２の期間Ａの第１の動作において、端末装置１は、ＳＣ−ＦＤＭＡシンボル＃１のＣＰが拡張された（Extension of cyclic prefix of the next SC-FDMA symbol）信号（ＳＣ−ＦＤＭＡシンボルの外に拡張されたＣＰ、または、拡張されたＣＰ）を送信してもよい。ここで、拡張されたＣＰは、ＰＵＳＣＨに含まれるトランスポートブロックの送信符号化率の算出に用いられなくてもよい。これは、ＣＰが無線伝搬環境に特有のマルチパスフェージングによる干渉除去に用いられることに起因している。つまり、ＳＣ−ＦＤＭＡシンボル＃１のＣＰが拡張された信号の送信電力は、ＣＱＩ／ＰＭＩの符号化ビットの数Ｑ、ＲＩの符号化ビットの数Ｇ、ＨＡＲＱ−ＡＣＫの符号化ビットの数Ｈ、および／または、ＰＵＳＣＨのための送信電力の算出において考慮されないことが好適である。そこで、図１２の期間Ａにおいて、端末装置１より拡張されたＣＰが送信されている場合、NLBT=1であってもよい。また、端末装置１よりＸ個のＳＣ−ＦＤＭＡシンボルにおいて拡張されたＣＰが送信されている場合、NLBT=Xであってもよい。
【０１２５】
つまり、ＬＢＴ期間が設定されることにより第１のＳＣ−ＦＤＭＡシンボルが送信されず、該第１のＳＣ−ＦＤＭＡシンボルの次の第２のＳＣ−ＦＤＭＡシンボルの拡張されたＣＰが、図１２の期間Ａの少なくとも一部において送信される場合、NLBT=1であってもよい。また、ＬＢＴ期間が設定されることにより第１のＳＣ−ＦＤＭＡシンボルが送信されず、該第１のＳＣ−ＦＤＭＡシンボルの次の第２のＳＣ−ＦＤＭＡシンボルの拡張されたＣＰが、図１２の期間Ａにおいて送信されない場合、NLBT=0であってもよい。ここで、第１のＳＣ−ＦＤＭＡシンボルは複数個のＳＣ−ＦＤＭＡシンボルであってもよい。つまり、第１のＳＣ−ＦＤＭＡシンボルがＸ個のＳＣ−ＦＤＭＡシンボルに対応し、該第１のＳＣ−ＦＤＭＡシンボルの次の第２のＳＣ−ＦＤＭＡシンボルの拡張されたＣＰが、図１２の期間Ａの少なくとも一部において送信される場合、NLBT=Xであってもよい。また、第１のＳＣ−ＦＤＭＡシンボルがＸ個のＳＣ−ＦＤＭＡシンボルに対応し、該第１のＳＣ−ＦＤＭＡシンボルの次の第２のＳＣ−ＦＤＭＡシンボルの拡張されたＣＰが、図１２の期間Ａにおいて送信されない場合、NLBT=0であってもよい。
【０１２６】
第１のＳＣ−ＦＤＭＡシンボルがＳＣ−ＦＤＭＡシンボルlであり、第２のＳＣ−ＦＤＭＡシンボルがＳＣ−ＦＤＭＡシンボルlsecondである場合を例にとり、該第１のＳＣ−ＦＤＭＡシンボルlの次の第２のＳＣ−ＦＤＭＡシンボルlsecondの拡張されたＣＰの具体的な一例を説明する。以下では、該第１のＳＣ−ＦＤＭＡシンボルlの次の第２のＳＣ−ＦＤＭＡシンボルlsecondの拡張されたＣＰは、拡張されたＣＰとも呼称される。該第１のＳＣ−ＦＤＭＡシンボルｌの次の第２のＳＣ−ＦＤＭＡシンボルの拡張されたＣＰは、NCP,l=144、または、NCP,l=160に対応するノーマルＣＰ、または、NCP,l=512に対応する拡張ＣＰを拡張することによって与えられてもよい。ここで、例えば、lsecond=l+1であってもよい。
【０１２７】
例えば、第１のＳＣ−ＦＤＭＡシンボルlの次の第２のＳＣ−ＦＤＭＡシンボルlsecondの拡張されたＣＰは、数式（２）に基づいて生成されてもよい。ここで、第１のＳＣ−ＦＤＭＡシンボルlの次の第２のＳＣ−ＦＤＭＡシンボルlsecondの拡張されたＣＰのために用いられるNXCP,lは、l=0の場合に160以外の値（例えば、320）であってもよい。また、第１のＳＣ−ＦＤＭＡシンボルlの次の第２のＳＣ−ＦＤＭＡシンボルlsecondの拡張されたＣＰのために用いられるNXCP,lは、l=1~6の場合に144以外の値（例えば、288）であってもよい。また、第１のＳＣ−ＦＤＭＡシンボルlの次の第２のＳＣ−ＦＤＭＡシンボルlsecondの拡張されたＣＰのために用いられるNXCP,lは、l=0~6の場合に512以外の値（例えば、1024）であってもよい。また、第１のＳＣ−ＦＤＭＡシンボルlの次の第２のＳＣ−ＦＤＭＡシンボルlsecondの拡張されたＣＰのために用いられる、該第１のＳＣ−ＦＤＭＡシンボルlの送信が開始される時刻Tl,0は、ＬＢＴに基づき与えられてもよい。例えば、第１のＳＣ−ＦＤＭＡシンボルlを含むＰＵＳＣＨのためのＬＢＴが時刻TLBTに終了する場合、該第１のＳＣ−ＦＤＭＡシンボルlの次の第２のＳＣ−ＦＤＭＡシンボルlsecondの拡張されたＣＰのために用いられる、該第１のＳＣ−ＦＤＭＡシンボルlの送信が開始される時刻Tl,0は、Tl,0=TLBT+Ts+Tnであってもよい。つまり、第１のＳＣ−ＦＤＭＡシンボルlの次の第２のＳＣ−ＦＤＭＡシンボルlsecondの拡張されたＣＰの送信が設定される場合、第１のＳＣ−ＦＤＭＡシンボルlの時間連続信号は、該第２のＳＣ−ＦＤＭＡシンボルlsecondに対応するリソースエレメントのコンテンツに基づき与えられてもよい。
【０１２８】
第１のＳＣ−ＦＤＭＡシンボルlの連続時間信号が、該第１のＳＣ−ＦＤＭＡシンボルに対応するリソースエレメントのコンテンツに基づき生成されるか否かに基づき、NLBTが与えられてもよい。例えば、第１のＳＣ−ＦＤＭＡシンボルｌの時間連続信号が、該第１のＳＣ−ＦＤＭＡシンボルに対応するリソースエレメントのコンテンツに基づき生成される場合に、NLBT=1であってもよい。また、第１のＳＣ−ＦＤＭＡシンボルｌの時間連続信号が、第２のＳＣ−ＦＤＭＡシンボルｌｓｅｃｏｎｄに対応するリソースエレメントのコンテンツに基づき生成される場合に、NLBT=1であってもよい。また、Ｘ個の第１のＳＣ−ＦＤＭＡシンボルｌの時間連続信号が、該第２のＳＣ−ＦＤＭＡシンボルに対応するリソースエレメントのコンテンツに基づき生成される場合に、NLBT=Xであってもよい。
【０１２９】
NLBTは、数式（１）において変調シンボルに挿入されるＮＵＬＬ（Om）に基づき与えられてもよい。例えば、NLBTは、数式（１）において変調シンボルに挿入されるＮＵＬＬの数に基づき与えられてもよい。また、NLBTは、数式（１）において変調シンボルに挿入されるＮＵＬＬの数がNNULLである場合、NLBT=NNULL/Nscであってもよい。ここで、Nscは、基地局装置３よりスケジューリングされたＰＵＳＣＨに含まれるＳＣ−ＦＤＭＡシンボルのサブキャリア数である。また、基地局装置３よりスケジューリングされたＰＵＳＣＨの送信において、ＬＢＴ期間と該ＰＵＳＣＨの送信が同一サブフレームに設定され、該ＰＵＳＣＨに含まれるＹ個のＳＣ−ＦＤＭＡシンボルに対応するリソースエレメントのコンテンツを生成する変調シンボルにおいて、該変調シンボルにNNULL個のＮＵＬＬが挿入される場合、NLBT=NNULL/Nscであってもよい。また、基地局装置３よりスケジューリングされたＰＵＳＣＨの送信において、ＬＢＴ期間と該ＰＵＳＣＨの送信が同一サブフレームに設定され、該ＰＵＳＣＨに含まれるＸ個のＳＣ−ＦＤＭＡシンボルに基づき生成される時間連続信号が送信されず、かつ、該ＰＵＳＣＨに含まれるＹ個のＳＣ−ＦＤＭＡシンボルに対応するリソースエレメントのコンテンツを生成する変調シンボルにおいて、該変調シンボルにNNULL個のＮＵＬＬが挿入される場合、NLBT=X+NNULL/(Nsc*Y)であってもよい。ここで、例えば、X=0であり、Y=1であってもよい。つまり、基地局装置３よりスケジューリングされたＰＵＳＣＨの送信において、ＬＢＴ期間と該ＰＵＳＣＨの送信が同一サブフレームに設定され、該ＰＵＳＣＨに含まれるＹ個のＳＣ−ＦＤＭＡシンボルに対応するリソースエレメントのコンテンツを生成する変調シンボルにおいて、該変調シンボルにNNULL個のＮＵＬＬが挿入される場合、NLBT=NNULL/(Nsc*Y)であってもよい。ここで、例えば、Y=1であってもよい。
【０１３０】
NLBTは、ＳＣ−ＦＤＭＡシンボルに対応するリソースエレメントのコンテンツに基づき生成される時間連続信号の長さと、該時間連続信号の実際の送信期間は異なってもよい。ここで、NLBTは該送信期間に基づいて与えられてもよい。ここで、該送信期間Ttxは、Ttx=(NCP,l+N)*Ts-Tl,0により与えられてもよい。ここで、該時間連続信号は、Tl,0と(NCP,l+N)*Tsの間の範囲を備えてもよい。つまり、該時間連続信号の送信タイミングは、Tl,0であってもよい。また、該送信期間Ttxは、生成される該時間信号に基づき与えられてもよい。例えば、NLBTは、NLBT=Ttx/Tsymbolにより与えられてもよい。ここで、Tsymbolは、生成される該時間連続信号の長さであってもよい。例えば、Tsymbolは、Tsymbol=(2048+NCP,l)*Tsにより与えられてもよい。
【０１３１】
ＳＣ−ＦＤＭＡシンボルに対応するリソースエレメントのコンテンツに基づき生成される時間連続信号の長さと、該時間連続信号の実際の送信期間が異なっている場合、該時間連続信号の送信タイミングTl,0はTl,0=Tinitial+Tnにより与えられてもよい。ここで、Tinitialは、生成される該時間連続信号の先頭（または、先頭のサンプリングポイント）を示す時刻であってもよい。また、Tnは、送信タイミングの正、または負の誤差の値を示す値である。送信タイミングの誤差は、同期エラー、送受信の遷移時間、クロックエラー等、端末装置１、および／または、基地局装置３に含まれる装置の一部によりもたらされる誤差である。
【０１３２】
NLBTは、基地局装置３より送信される上位層の信号に含まれる情報、および／または、基地局装置３より送信されるＤＣＩに含まれる情報に基づき与えられてもよい。例えば、Ｘは、基地局装置３より送信される上位層の信号に含まれる情報、および／または、基地局装置３より送信されるＤＣＩに含まれる情報に基づき与えられてもよい。また、Ｙは、基地局装置３より送信される上位層の信号に含まれる情報、および／または、基地局装置３より送信されるＤＣＩに含まれる情報に基づき与えられてもよい。また、変調シンボルに挿入されるＮＵＬＬの数NNULLは、基地局装置３より送信される上位層の信号に含まれる情報、および／または、基地局装置３より送信されるＤＣＩに含まれる情報に基づき与えられてもよい。基地局装置３より送信される上位層の信号に含まれる情報、および／または、基地局装置３より送信されるＤＣＩに含まれる情報は、ＰＵＳＣＨに含まれる一部のＳＣ−ＦＤＭＡシンボルが送信されないことを指示する情報であってもよい。
【０１３３】
端末装置１よりシンボルが送信されることは、端末装置１が所定の電力（または、平均電力、電力密度、電力強度、電界強度、電波強度、電界密度、電波密度等）を超える（または、以上の）電力を、該ＰＵＳＣＨに対応する所定の時間および所定の周波数において、端末装置１の外部に放射していることであってもよい。つまり、端末装置１よりシンボルが送信されることは、該シンボルのための無線リソースに対する所定の時間および所定の周波数において、所定の時間以外、および／または、所定の周波数以外に放射される電力よりも大きいことであってもよい。ここで、所定の電力は、−３９ｄＢｍであってもよい。また、所定の電力は、−３０ｄＢｍであってもよい。また、所定の電力は、−７２ｄＢｍであってもよい。本発明の一態様において、所定の電力は限定されない。
【０１３４】
ＰＵＳＣＨ１００２のドロップ処理は、無線送受信部１０によって行われてもよい。無線送受信部１０によってＰＵＳＣＨ１００２の送信がドロップされる場合、上位層処理部１４はＰＵＳＣＨ１００２の送信が実行されたとみなしてもよい。例えば、上位層処理部１４は、ＰＵＳＣＨ１００２の送信のためにトランスポートブロックｘを生成してもよい。例えば、ＰＤＣＣＨ１０００に含まれる上りリンクグラントを保持し、当該保持される上りリンクグラントに基づくトランスポートブロックｘの再送信を無線送受信部１０に指示してもよい。
【０１３５】
端末装置１は、再送信を指示する上りリンクグラントを含むＰＤＣＣＨ１００４を受信する。端末装置１は、ＰＤＣＣＨ１００４の検出に基づいて、トランスポートブロックｘを含むＰＵＳＣＨ１００６を行う。ＰＵＳＣＨ１００６は、再送信ＰＵＳＣＨ１００６とも呼称される。ＰＵＳＣＨ１００６は、ＰＵＳＣＨ１００２の再送信に対応する。
【０１３６】
端末装置１は、再送信を指示する上りリンクグラントを含むＰＤＣＣＨ１００８を受信する。ここで、ＰＤＣＣＨ１００８の上りリンクグラントに含まれるＣＳＩリクエストフィールドがＣＳＩ報告をトリガーするようにセットされていてもよい。ＰＤＣＣＨ１００８の上りリンクグラントに含まれるＨＡＲＱ−ＡＣＫリクエストフィールドがＨＡＲＱ−ＡＣＫ送信をトリガーするようにセットされていてもよい。端末装置１は、ＰＤＣＣＨ１００８の検出に基づいて、ＵＣＩ（ＣＱＩ／ＰＭＩ、ＲＩ、および／または、ＨＡＲＱ−ＡＣＫ）およびトランスポートブロックｘを含むＰＵＳＣＨ１０１０を送信する。ＰＵＳＣＨ１０１０は、再送信ＰＵＳＣＨ１０１０とも呼称される。ＰＵＳＣＨ１０１０は、ＰＵＳＣＨ１００２、および／または、ＰＵＳＣＨ１００６の再送信に対応する。ここで、ＰＤＣＣＨ１０００、１００４、１００８、および、ＰＵＳＣＨ１００２、ＰＵＳＣＨ１００６、１０１０は、同じＨＡＲＱプロセスに対応している。
【０１３７】
図１１において、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ１０１０のための送信電力PPUSCH,c(i)は、ＰＵＳＣＨ１００２のためにスケジュールされた帯域幅であり、且つ、ＰＤＣＣＨ１０００から得られるMPUSCH-initialsc、および、同じトランスポートブロックｘのためのＰＵＳＣＨ１００２のためのＳＣ−ＦＤＭＡシンボルの数NPUSCH-initialsymbolに少なくとも基づいて与えられてもよい。
【０１３８】
しかし、基地局装置３は、ＰＵＳＣＨ１００２が行われなかった理由が、（ｉ）端末装置１がイニシャルＰＤＣＣＨ１０００の検出に失敗したからであるか、（ｉｉ）ＬＢＴの結果がビジー状態であるからか、および、（ｉｉｉ）ＰＵＳＣＨ１００２を含む複数のＰＵＳＣＨ送信の推定される送信電力の合計が設定される最大送信電力を超えているからのうちの何れであるかを知ることはできない。ゆえに、ＰＵＳＣＨ１００２の送信が行われなかった理由によって、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ１００６のための送信電力PPUSCH,c(i)が変動することは好ましくない。そこで、図１１において、ＰＤＣＣＨ１０００の検出が成功裏に完了していたとしても、ＰＤＣＣＨ１０００に基づくＰＵＳＣＨ１００２の送信が行われなかった場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ１０１０のための送信電力PPUSCH,c(i)は、ＰＵＳＣＨ１００６のためにスケジュールされた帯域幅であり、且つ、ＰＤＣＣＨ１００４から得られるMPUSCH-initialsc、および、同じトランスポートブロックｘのためのＰＵＳＣＨ１００６のためのＳＣ−ＦＤＭＡシンボルの数NPUSCH-initialsymbolに少なくとも基づいて与えられてもよい。これにより、基地局装置３は、端末装置１によってＰＵＳＣＨ１００２の送信が行われなかった理由を知らなくても、ＰＵＳＣＨ１００６（ＵＣＩ、および、トランスポートブロック）を正しく受信することができる。ここで、ＰＵＳＣＨ１００２が行われなかった理由が、（ｉｉ）ＬＢＴの結果がビジー状態である場合において、ＰＵＳＣＨ１００６は、ＰＵＳＣＨ初期送信とも呼称される。つまり、ＰＵＳＣＨ１００２が行われなかった理由が、（ｉｉ）ＬＢＴの結果がビジー状態である場合において、ＰＤＣＣＨ１００４は、イニシャルＰＤＣＣＨであってもよい。
【０１３９】
図１１において、ＰＤＣＣＨ１０００に基づくＰＵＳＣＨ１００２の送信が行われた場合、ＣＱＩ／ＰＭＩの符号化ビットの数Ｑ、ＲＩの符号化ビットの数Ｇ、ＨＡＲＱ−ＡＣＫの符号化ビットの数Ｈ、および、ＰＵＳＣＨ１０１０のための送信電力PPUSCH,c(i)は、ＰＵＳＣＨ１００２のためにスケジュールされた帯域幅であり、且つ、ＰＤＣＣＨ１０００から得られるMPUSCH-initialsc、および、同じトランスポートブロックｘのためのＰＵＳＣＨ１００２のためのＳＣ−ＦＤＭＡシンボルの数NPUSCH-initialsymbolに少なくとも基づいて与えられてもよい。
【０１４０】
以下の要素Ａから要素Ｉの一部、または、全部は、ＰＵＳＣＨに含まれるＳＣ−ＦＤＭＡシンボルの数に少なくとも基づき与えられてもよい。また、以下の要素Ａから要素Ｉの一部、または、全部は、ＰＵＳＣＨに含まれるＳＣ−ＦＤＭＡシンボルに対応するリソースエレメントのコンテンツに基づき生成される時間連続信号の生成方法に基づき与えられてもよい。また、以下の要素Ａから要素Ｉの一部、または、全部は、ＰＵＳＣＨに含まれるＳＣ−ＦＤＭＡシンボルの生成に用いられるリソースエレメントのコンテンツを生成する変調シンボルに挿入されるＮＵＬＬの数に基づき与えられてもよい。また、以下の要素Ａから要素Ｉの一部、または、全部は、ＳＣ−ＦＤＭＡシンボルに対応するリソースエレメントのコンテンツに基づき生成される時間連続信号の長さと、該時間連続信号の実際の送信期間が異なっている場合、該送信期間に基づいて与えられてもよい。
要素Ａ：ＰＵＳＣＨで送信されるＣＱＩ／ＰＭＩの符号化ビットの数Ｑ
要素Ｂ：ＰＵＳＣＨで送信されるＲＩの符号化ビットの数Ｇ
要素Ｃ：ＰＵＳＣＨで送信されるＨＡＲＱ−ＡＣＫの符号化ビットの数Ｈ
要素Ｄ：ＰＵＳＣＨ８０２のための送信電力PPUSCH,c(i)
要素Ｅ：ＰＵＳＣＨ８０６のための送信電力PPUSCH,c(i)
要素Ｆ：ＰＵＳＣＨ９０６のための送信電力PPUSCH,c(i)
要素Ｇ：ＰＵＳＣＨ９１０のための送信電力PPUSCH,c(i)
要素Ｈ：ＰＵＳＣＨ１００６のための送信電力PPUSCH,c(i)
要素Ｉ：ＰＵＳＣＨ１０１０のための送信電力PPUSCH,c(i)
【０１４１】
ここで、ＰＵＳＣＨのＳＣ−ＦＤＭＡシンボルの数は、ＬＢＴ期間の設定に基づき与えられてもよい。例えば、ＰＵＳＣＨのＳＣ−ＦＤＭＡシンボルの数は、該ＰＵＳＣＨの送信とＬＢＴ期間が同一のサブフレームに設定されるか否かに基づき与えられてもよい。例えば、ＰＵＳＣＨのＳＣ−ＦＤＭＡシンボルの数は、ＬＢＴ期間が設定されることにより送信されない該ＰＵＳＣＨのＳＣ−ＦＤＭＡシンボルの数NLBTに基づき与えられてもよい。例えば、ＬＢＴ期間が設定されることにより送信されないＰＵＳＣＨのＳＣ−ＦＤＭＡシンボルの数NLBTは、該ＰＵＳＣＨの送信と該ＬＢＴ期間が同一のサブフレームに設定される場合に１であってもよい。また、ＬＢＴ期間が設定されることにより送信されないＰＵＳＣＨのＳＣ−ＦＤＭＡシンボルの数NLBTは、該ＰＵＳＣＨの送信と該ＬＢＴ期間が同一のサブフレームに設定されない場合に０であってもよい。
【０１４２】
以下、本実施形態における、端末装置１および基地局装置３の種々の態様について説明する。
【０１４３】
（１）本発明の態様は、以下のような手段を講じた。すなわち、本発明の第１の態様は、端末装置１であって、所定の期間のＬＢＴに基づきＰＵＳＣＨ（８０２、８０６、９０２、９０６、９０１０、１００２、１００６、１０１０）の送信を行う送信部と、前記ＰＵＳＣＨ（８０２、８０６、９０２、９０６、９０１０、１００２、１００６、１０１０）に含まれる上りリンク制御情報のビット数を算出する物理層処理部と、を備え、前記上りリンク制御情報のビット数は、第１の要素と第２の要素と第３の要素と第４の要素と第５の要素、の一部、または、全部に少なくとも基づき与えられ、前記第１の要素は、前記ＰＵＳＣＨ（８０２、８０６、９０２、９０６、９０１０、１００２、１００６、１０１０）に含まれるＳＣ−ＦＤＭＡシンボルの数であり、前記第２の要素は、前記ＳＣ−ＦＤＭＡシンボルに含まれる第１のＳＣ−ＦＤＭＡシンボルの時間連続信号が、前記第１のＳＣ−ＦＤＭＡシンボルに対応するリソースエレメントのコンテンツに基づき生成されるか否かであり、前記第３の要素は、前記コンテンツを生成する変調シンボルに挿入されるＮＵＬＬの数であり、前記第４の要素は、前記時間連続信号の送信期間であり、前記第５の要素は、前記ＰＵＳＣＨ（８０２、８０６、９０２、９０６、９０１０、１００２、１００６、１０１０）の送信と前記所定の期間が同一のサブフレームに設定されるか否かである。
【０１４４】
（２）本発明の第２の態様は、基地局装置３であって、ＰＵＳＣＨ（８０２、８０６、９０２、９０６、９０１０、１００２、１００６、１０１０）に含まれる上りリンク制御情報のビット数を算出する物理層処理部と、前記物理層処理部により算出される前記上りリンク制御情報のビット数に基づき前記ＰＵＳＣＨ（８０２、８０６、９０２、９０６、９０１０、１００２、１００６、１０１０）を受信する受信部と、を備え、前記上りリンク制御情報のビット数は、第１の要素と第２の要素と第３の要素と第４の要素と第５の要素、の一部、または、全部に少なくとも基づき与えられ、前記第１の要素は、前記ＰＵＳＣＨ（８０２、８０６、９０２、９０６、９０１０、１００２、１００６、１０１０）に含まれるＳＣ−ＦＤＭＡシンボルの数であり、前記第２の要素は、前記ＳＣ−ＦＤＭＡシンボルに含まれる第１のＳＣ−ＦＤＭＡシンボルの時間連続信号が、前記第１のＳＣ−ＦＤＭＡシンボルに対応するリソースエレメントのコンテンツに基づき生成されるか否かであり、前記第３の要素は、前記コンテンツを生成する変調シンボルに挿入されるＮＵＬＬの数であり、前記第４の要素は、前記時間連続信号の送信期間であり、前記第５の要素は、前記ＰＵＳＣＨ（８０２、８０６、９０２、９０６、９０１０、１００２、１００６、１０１０）の送信と前記所定の期間が同一のサブフレームに設定されるか否かである。
【０１４５】
（３）本発明の第３の態様は、端末装置１であって、所定の期間のＬＢＴに基づきＰＵＳＣＨ（８０２、８０６、９０２、９０６、９０１０、１００２、１００６、１０１０）の送信を行う送信部と、前記ＰＵＳＣＨ（８０２、８０６、９０２、９０６、９０１０、１００２、１００６、１０１０）の送信電力を算出する物理層処理部と、を備え、前記送信電力は、第１の要素と第２の要素と第３の要素と第４の要素と第５の要素、の一部、または、全部に少なくとも基づき与えられ、前記第１の要素は、前記ＰＵＳＣＨ（８０２、８０６、９０２、９０６、９０１０、１００２、１００６、１０１０）に含まれるＳＣ−ＦＤＭＡシンボルの数であり、前記第２の要素は、前記ＳＣ−ＦＤＭＡシンボルに含まれる第１のＳＣ−ＦＤＭＡシンボルの時間連続信号が、前記第１のＳＣ−ＦＤＭＡシンボルに対応するリソースエレメントのコンテンツに基づき生成されるか否かであり、前記第３の要素は、前記コンテンツを生成する変調シンボルに挿入されるＮＵＬＬの数であり、前記第４の要素は、前記時間連続信号の送信期間であり、前記第５の要素は、前記ＰＵＳＣＨ（８０２、８０６、９０２、９０６、９０１０、１００２、１００６、１０１０）の送信と前記所定の期間が同一のサブフレームに設定されるか否かである。
【０１４６】
（４）本発明の第４の態様は、基地局装置３であって、ＰＵＳＣＨ（８０２、８０６、９０２、９０６、９０１０、１００２、１００６、１０１０）の送信電力を算出する物理層処理部と、前記物理層処理部により算出される前記送信電力に基づき前記ＰＵＳＣＨ（８０２、８０６、９０２、９０６、９０１０、１００２、１００６、１０１０）を受信する受信部と、を備え、前記送信電力は、第１の要素と第２の要素と第３の要素と第４の要素と第５の要素、の一部、または、全部に少なくとも基づき与えられ、前記第１の要素は、前記ＰＵＳＣＨ（８０２、８０６、９０２、９０６、９０１０、１００２、１００６、１０１０）に含まれるＳＣ−ＦＤＭＡシンボルの数であり、前記第２の要素は、前記ＳＣ−ＦＤＭＡシンボルに含まれる第１のＳＣ−ＦＤＭＡシンボルの時間連続信号が、前記第１のＳＣ−ＦＤＭＡシンボルに対応するリソースエレメントのコンテンツに基づき生成されるか否かであり、前記第３の要素は、前記コンテンツを生成する変調シンボルに挿入されるＮＵＬＬの数であり、前記第４の要素は、前記時間連続信号の送信期間であり、前記第５の要素は、前記ＰＵＳＣＨ（８０２、８０６、９０２、９０６、９０１０、１００２、１００６、１０１０）の送信と前記所定の期間が同一のサブフレームに設定されるか否かである。
【０１４７】
（５）本実施形態の第１から第４の態様において、前記第１のＳＣ−ＦＤＭＡシンボルの時間連続信号は、前記第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合に、前記第２のＳＣ−ＦＤＭＡシンボルの拡張されたＣＰである。
【０１４８】
（１Ａ）本発明の一態様は、端末装置であって、ＰＵＳＣＨでトランスポートブロックとＨＡＲＱ−ＡＣＫを送信する送信部と、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出する物理層処理部と、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。
【０１４９】
（２Ａ）本発明の一態様は、基地局装置であって、ＰＵＳＣＨで送信されるトランスポートブロックとＨＡＲＱ−ＡＣＫを受信する受信部と、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出する物理層処理部と、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、
前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。
【０１５０】
（３Ａ）本発明の一態様は、端末装置に用いられる通信方法であって、ＰＵＳＣＨでトランスポートブロックとＨＡＲＱ−ＡＣＫを送信するステップと、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出するステップと、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。
【０１５１】
（４Ａ）本発明の一態様は、基地局装置に用いられる通信方法であって、
ＰＵＳＣＨで送信されるトランスポートブロックとＨＡＲＱ−ＡＣＫを受信するステップと、前記ＨＡＲＱ−ＡＣＫのための符号化ビット数を、前記トランスポートブロックのＰＵＳＣＨ初期送信のためのＳＣ−ＦＤＭＡシンボル数NPUSCH-initialsymbと前記トランスポートブロックのための変調次数に少なくとも基づき算出するステップと、を備え、前記ＳＣ−ＦＤＭＡシンボル数NPUSCH-initialsymbは、少なくともNLBTと上りリンクスロットに含まれるＳＣ−ＦＤＭＡシンボル数NULsymbに基づき与えられ、前記ＰＵＳＣＨに含まれる第１のＳＣ−ＦＤＭＡシンボルの時間連続信号が前記第１のＳＣ−ＦＤＭＡシンボルの次の第２のＳＣ−ＦＤＭＡシンボルに対応するリソースエレメントのコンテンツに基づき生成される場合、NLBTの値は１である。
【０１５２】
（５Ａ）本発明の一態様は、前記ＰＵＳＣＨに含まれる第１のＳＣ−ＦＤＭＡシンボルの時間連続信号が、前記第１のＳＣ−ＦＤＭＡシンボルの次の第２のＳＣ−ＦＤＭＡシンボルに対応するリソースエレメントのコンテンツに基づかない場合、NLBTの値は０である。
【０１５３】
これにより、端末装置１は効率的に上りリンク送信を実行することができる。また、基地局装置３は効率的に上りリンク送信の受信を実行することができる。
【０１５４】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１６０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１６２】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６３】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０１６４】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
３０００  送信プロセス
３００１  符号化処理部
３００２  スクランブル処理部
３００３  変調マップ処理部
３００４  レイヤマップ処理部
３００５  変換プレコード処理部
３００６  プレコード処理部
３００７  リソースエレメントマップ処理部
３００８  ベースバンド信号生成処理部
８００、８０４、９００、９０４、９０８、１０００、１００４、１００８  ＰＤＣＣＨ
８０２、８０６、９０２、９０６、９０１０、１００２、１００６、１０１０  ＰＵＳＣＨ
【図１】
0006800981.tif 000011
【図２】
0006800981.tif 000012
【図３】
0006800981.tif 000013
【図４】
0006800981.tif 000014
【図５】
0006800981.tif 000015
【図６】
0006800981.tif 000016
【図７】
0006800981.tif 000017
【図８】
0006800981.tif 000018
【図９】
0006800981.tif 000019
【図１０】
0006800981.tif 000020
【図１１】
0006800981.tif 000021
【図１２】
0006800981.tif 000022